(57)【特許請求の範囲】
【請求項１】
吸引力を発生する電動送風機と前記電動送風機への供給電力を制御する本体制御手段とを内蔵した電気掃除機本体と、前記電気掃除機本体に着脱自在で前記電動送風機が掃除部位の塵埃を吸引するための空気流路の少なくとも一部を構成するホース或いは延長管等の塵埃導入手段と、前記塵埃導入手段近傍に前記本体制御手段と２本の電気配線手段で接続されて配設され、空気流路内の塵埃通過状態を塵埃検知情報信号として検出可能な塵埃検知手段と、複数の塵埃検知情報信号をそれぞれ電流値の異なる複数の電流信号に変換可能な電流変換手段と、前記本体制御手段に設けられ、前記複数の電流信号を複数の塵埃検知情報信号に逆変換可能な信号変換手段とを備え、前記本体制御手段は、前記塵埃検知手段が消費する電力を前記２本の電気配線手段を介して送信し、前記塵埃検知手段は、前記電流変換手段により、前記２本の電気配線手段の電流値を変化させて、複数の塵埃検知情報信号を電流値の異なる複数の電流信号に変換すると共に、変換した前記複数の電流信号を前記本体制御手段に前記２本の電気配線手段を介して送信可能とし、前記本体制御手段は、送信されてきた電流値の異なる複数の電流信号を、前記信号変換手段により複数の塵埃検知情報信号に逆変換し、前記信号変換手段で得られた塵埃検知手段からの複数の塵埃検知情報信号に応じて、前記電動送風機への供給電力を制御しており、前記電流変換手段は、任意の基本電流値Ａと、前記基本電流値Ａより電流値が大きい電流信号Ｂと、前記基本電流値Ａより電流値が小さい電流信号Ｃとを生成可能で、前記塵埃検知手段は複数の塵埃検知情報信号を前記電流信号Ｂおよび電流信号Ｃとして配線手段に出力し、前記信号変換手段は、所定時間の電流信号Ｂおよび電流信号Ｃの平均値を基準電流値Ａとして検出可能な電流平均手段を備え、前記信号変換手段は所定時間未満の電流信号Ｂおよび電流信号Ｃと基準電流値Ａとの電流値の差を比較、検出して、塵埃検知情報信号に逆変換することで、前記塵埃検知手段と前記本体制御手段との間で塵埃検知情報信号を通信可能とした電気掃除機。
【請求項２】
発光手段と前記発光手段の放射光を受光可能な受光手段とを、空気流路内にその光軸を略対向して配置し、塵埃検知手段は、前記光軸内を塵埃が通過して遮光される光の変化を演算手段で信号処理することで電気パルス信号に変換して、塵埃検知信号を生成し、前記演算手段は信号処理特性の異なる演算手段を複数備えることで通過塵埃の大きさおよび／または通過塵埃量に応じて電流信号Ｂおよび電流信号Ｃとを生成する請求項１記載の電気掃
除機。
【請求項３】
電流変換手段は、電流信号Ｂと電流信号Ｃとの生成に対して、いずれか一方の電流信号を優先して出力する排他手段を備えた請求項１または２記載の電気掃除機。
【請求項４】
表示手段を備え、塵埃検知情報信号に応じて表示手段での表示情報を変更制御する請求項１〜３のいずれか１項記載の電気掃除機。
【発明の詳細な説明】
【技術分野】
【０００１】
本発明は、マイクロコンピュータ等で構成された電気掃除機本体内の本体制御手段と塵埃検知手段との間で電力供給と信号通信とを２本の電気配線で行う技術に関するもので、特に電気配線が着脱自在な接続部を有する電気掃除機に有用な電力線通信技術に関するものである。
【背景技術】
【０００２】
従来この類の電力線通信技術による通信機能を備えた電気掃除機の概観を図７に、また回路構成を図８に示し、その構成・動作について説明する。
【０００３】
９は吸引力を発生する電動送風機２を内蔵した電気掃除機本体、１は電気掃除機本体９に接続部１１で着脱自在なホースユニット、８は使用者が電気掃除機を使用する際に握る操作部、１５は掃除床面のゴミを吸引可能に構成された床用吸い込み具４６と操作部８との間を接続する延長間で、本体９内の電動送風機２の発生する吸引力はホースユニット１と延長間１５と床用吸い込み具４６の空気流路を経て掃除床面より塵埃を吸引するよう構成されている。
【０００４】
ホースユニット１の空気流路には、発光素子（発光ダイオード）２４と受光素子（フォトトランジスタ）２５との光軸を対向配設（詳細図省略）され前記光軸間を塵埃が通過して光を遮ることで変化するフォトトランジスタ２５の出力（塵埃検知信号）を演算回路２７で増幅して比較回路２８でデジタル信号（塵埃検知情報信号）に変換する塵埃検知手段を備えている。トランジスタ２２は比較回路２８の出力電力を増幅して接続部１１より配線されている２本の電気配線に電圧Ｖｚ（ツェナーダイオード２１のツェナー電圧）を塵埃検知情報信号として送信出力する。２３は電源回路で本体９の電源回路４から送られてくる電力を塵埃検知手段で消費可能な電圧に変換するための電圧レギュレータである。
【０００５】
制御手段５（位相制御用ＩＣ）の４番端子は接続部１１の電圧Ｖｉが入力されていて、塵埃検知手段から直流電圧値Ｖｚが出力されると（塵埃検知手段で塵埃を検知した時）、制御手段５（位相制御ＩＣ）は前記直流電圧値Ｖｚそのものを検知することでモータ２への供給電力が増えるよう位相制御量を変更し、塵埃検知手段からＶｚ以外の直流電圧値が出力されると（塵埃検知手段で塵埃を検知していない時）、制御手段５（位相制御ＩＣ）はモータ２への供給電力が減るよう位相制御量を変更するものである。
【０００６】
ところで本従来例は、制御手段５は塵埃検知手段から出力される直流電圧Ｖｚが位相制御用ＩＣの位相制御量設定端子に直接印加されることで、位相制御量を変更するものであ
るがその信号処理の様子は「通信」と呼ぶ詳細な技術的説明（位相制御手段は塵埃検知情報信号をどのように受信して信号処理し、電動送風機２への位相制御量を変更するのかという）が無く、実際に特許文献１記載の通信装置を実現しようと試みたが、塵埃検知手段の塵埃検知情報通信号の情報量の多さに対してその信号を受信して電動送風機２の位相制御量を変更する「位相制御用ＩＣ」の動作・構成の開示が無ければうまく動作させることはできないものであった。
【特許文献１】特開２００２−３１５７０３号公報
【発明の開示】
【発明が解決しようとする課題】
【０００７】
しかしながら近年ハウスダストが健康に与える悪影響についての情報が増える中、電気掃除機は単なる床面の塵埃を検知して所定の吸引力で吸引するだけでなく掃除床面の種類や汚れ具合に合わせて効率よく掃除のできる運転制御や更にはアレルゲンを綺麗に掃除できるもの等高付加価値化・高集塵性能制御化への要望は益々高まりつつあり、塵埃検知機能とその検知結果から設定される電動送風機（モータ）の運転制御に対しても従来以上に高性能化する必要を迫られている。具体的には塵埃検知機能の高性能化とそのために増加する塵埃検知情報信号の高速処理技術を掃除機本来の使い勝手を損なうことなく信頼性を確保しつつ進化させる発明が待たれている。
【０００８】
本発明は、前記使用者からの要望を実現するために必要な、高性能塵埃検知手段と制御手段との間を高速・高信頼で塵埃検知情報信号を送受信可能な電力線通信方式を備えた電気掃除機を提供することを目的とするものである。
【課題を解決するための手段】
【０００９】
前記課題を解決するために、本発明の電気掃除機は、吸引力を発生する電動送風機と前記電動送風機への供給電力を制御する本体制御手段とを内蔵した電気掃除機本体と、前記電気掃除機本体に着脱自在で前記電動送風機が掃除部位の塵埃を吸引するための空気流路の少なくとも一部を構成するホース或いは延長管等の塵埃導入手段と、前記塵埃導入手段近傍に前記本体制御手段と２本の電気配線手段で接続されて配設され、空気流路内の塵埃通過状態を塵埃検知情報信号として検出可能な塵埃検知手段と、複数の塵埃検知情報信号をそれぞれ電流値の異なる複数の電流信号に変換可能な電流変換手段と、前記本体制御手段に設けられ、前記複数の電流信号を複数の塵埃検知情報信号に逆変換可能な信号変換手段とを備え、前記本体制御手段は、前記塵埃検知手段が消費する電力を前記２本の電気配線手段を介して送信し、前記塵埃検知手段は、前記電流変換手段により、前記２本の電気配線手段の電流値を変化させて、複数の塵埃検知情報信号を電流値の異なる複数の電流信号に変換すると共に、変換した前記複数の電流信号を前記本体制御手段に前記２本の電気配線手段を介して送信可能とし、前記本体制御手段は、送信されてきた電流値の異なる複数の電流信号を、前記信号変換手段により複数の塵埃検知情報信号に逆変換し、前記信号変換手段で得られた塵埃検知手段からの複数の塵埃検知情報信号に応じて、前記電動送風機への供給電力を制御しており、前記電流変換手段は、任意の基本電流値Ａと、前記基本電流値Ａより電流値が大きい電流信号Ｂと、前記基本電流値Ａより電流値が小さい電流信号Ｃとを生成可能で、前記塵埃検知手段は複数の塵埃検知情報信号を前記電流信号Ｂおよび電流信号Ｃとして配線手段に出力し、前記信号変換手段は、所定時間の電流信号Ｂおよび電流信号Ｃの平均値を基準電流値Ａとして検出可能な電流平均手段を備え、前記信号変換手段は所定時間未満の電流信号Ｂおよび電流信号Ｃと基準電流値Ａとの電流値の差を比較、検出して、塵埃検知情報信号に逆変換することで、前記塵埃検知手段と前記本体制御手段との間で塵埃検知情報信号を通信可能としたものである。
【００１０】
これは従来の通信装置（特許文献１）の直流電圧Ｖｚで塵埃検知情報信号を送受信する技術で詳細開示されていなかった、塵埃検知情報信号の高速処理（受信）するための技術
を含めて実現可能な発明である。
【００１１】
そして、高性能な塵埃検知手段で検知した膨大な塵埃検知情報信号を複数の電流値の電流パルス信号として２本の電力線に重畳し、更に電流センサ様に構成された信号変換手段で前記の電流パルス信号を元の塵埃検知情報信号（デジタル信号）に逆変換して本体制御手段内のマイクロコンピュータ等で高速処理できるようになるものである。
【発明の効果】
【００１２】
本発明は、着脱自在な電気接続部を経て２本の電気配線だけで電力供給と電気信号通信が必要な電気掃除機において、高付加価値・高機能制御を実現するために電気信号を高速伝送・高速処理するために必要な電気掃除機の通信方式を提供するもので、特に高性能塵埃検知手段の膨大な塵埃検知情報信号を高速処理して高性能制御を実現する電気掃除機を提供可能にできるものである。
【発明を実施するための最良の形態】
【００１３】
第１の発明は、吸引力を発生する電動送風機と前記電動送風機への供給電力を制御する本体制御手段とを内蔵した電気掃除機本体と、前記電気掃除機本体に着脱自在で前記電動送風機が掃除部位の塵埃を吸引するための空気流路の少なくとも一部を構成するホース或いは延長管等の塵埃導入手段と、前記塵埃導入手段近傍に前記本体制御手段と２本の電気配線手段で接続されて配設され、空気流路内の塵埃通過状態を塵埃検知情報信号として検出可能な塵埃検知手段と、複数の塵埃検知情報信号をそれぞれ電流値の異なる複数の電流信号に変換可能な電流変換手段と、前記本体制御手段に設けられ、前記複数の電流信号を複数の塵埃検知情報信号に逆変換可能な信号変換手段とを備え、前記本体制御手段は、前記塵埃検知手段が消費する電力を前記２本の電気配線手段を介して送信し、前記塵埃検知手段は、前記電流変換手段により、前記２本の電気配線手段の電流値を変化させて、複数の塵埃検知情報信号を電流値の異なる複数の電流信号に変換すると共に、変換した前記複数の電流信号を前記本体制御手段に前記２本の電気配線手段を介して送信可能とし、前記本体制御手段は、送信されてきた電流値の異なる複数の電流信号を、前記信号変換手段により複数の塵埃検知情報信号に逆変換し、前記信号変換手段で得られた塵埃検知手段からの複数の塵埃検知情報信号に応じて、前記電動送風機への供給電力を制御しており、前記電流変換手段は、任意の基本電流値Ａと、前記基本電流値Ａより電流値が大きい電流信号Ｂと、前記基本電流値Ａより電流値が小さい電流信号Ｃとを生成可能で、前記塵埃検知手段は複数の塵埃検知情報信号を前記電流信号Ｂおよび電流信号Ｃとして配線手段に出力し、前記信号変換手段は、所定時間の電流信号Ｂおよび電流信号Ｃの平均値を基準電流値Ａとして検出可能な電流平均手段を備え、前記信号変換手段は所定時間未満の電流信号Ｂおよび電流信号Ｃと基準電流値Ａとの電流値の差を比較、検出して、塵埃検知情報信号に逆変換することで、前記塵埃検知手段と前記本体制御手段との間で塵埃検知情報信号を通信可能とした電気掃除機としたもので、高性能な塵埃検知手段で検知した膨大な塵埃検知情報信号を複数の電流信号（電流パルス信号）として２本の電力線に重畳し、更に電流センサ様に構成された信号変換手段で前記の電流信号（電流パルス信号）を元の塵埃検知情報信号（デジタル信号）に逆変換して本体制御手段内のマイクロコンピュータ等で高速処理できるようになるものである。
【００１４】
また、第１の発明は、電流変換手段は、任意の基本電流値Ａと、前記基本電流値Ａより電流値が大きい電流信号Ｂと、前記基本電流値Ａより電流値が小さい電流信号Ｃとを生成可能で、塵埃検知手段は複数の塵埃検知情報信号を前記電流信号Ｂおよび電流信号Ｃとして配線手段に出力し、信号変換手段は、所定時間の電流信号Ｂおよび電流信号Ｃの平均値を基準電流値Ａとして検出可能な電流平均手段を備え、前記信号変換手段は所定時間未満の電流信号Ｂおよび電流信号Ｃと基準電流値Ａとの電流値の差を比較、検出して、塵埃検知情報信号に逆変換することで、塵埃検知手段と本体制御手段との間で塵埃検知情報信号
を通信可能とするものであり、電流平均手段は塵埃検知手段そのものの電子回路が消費する電流値を含めて基準電流値として検出・設定可能であるため、塵埃検知手段を構成する電子回路の負荷電流等のバラツキに影響されること無く電流信号から塵埃検知情報信号を逆変換することができるものである。
【００１５】
第２の発明は、第１の発明に加えて、発光手段と前記発光手段の放射光を受光可能な受光手段とを、空気流路内にその光軸を略対向して配置し、塵埃検知手段は、前記光軸内を塵埃が通過して遮光される光の変化を演算手段で信号処理することで電気パルス信号に変換して、塵埃検知信号を生成し、前記演算手段は信号処理特性の異なる演算手段を複数備えることで通過塵埃の大きさおよび／または通過塵埃量に応じて電流信号Ｂおよび電流信号Ｃとを生成するよう構成するもので、例えばゆっくり吸引される数の少ない大きな塵埃は、周期の長い電気パルス信号（電流信号Ｂ）として生成し、早く吸引される数の多い小さな塵埃は、周期の短い電気パルス信号（電流信号Ｃ）として生成するような規則に基づいた電気パルス信号生成とすることで、本体制御手段での信号処理効率は格段に向上可能となる。
【００１６】
第３の発明は、第１または第２の発明の電流変換手段は、電流信号Ｂと電流信号Ｃとの生成に対して、いずれか一方の電流信号を優先して出力する排他手段を備えたものであり、電流信号ＢとＣとの極性の差に対して同時両信号を生成する必要が出た場合に優先順位が設定可能となり、受信側で逆変換して生成した塵埃検知情報信号を処理する際の欠落情報の復元などに活用できる。
【００１７】
第４の発明は、第１〜３の発明に加えて、表示手段を備え、塵埃検知情報信号に応じて表示手段での表示情報を変更制御するもので、検知した塵埃の数や大きさなどの情報を表示可能となるものである。
【００１８】
以下、本発明の実施の形態について、図面を参照しながら説明する。なお、この実施の形態により本発明が限定されるものではない。
【００１９】
（実施の形態１）
本発明の第１の実施の形態について図１〜図６を参照しながら説明する。なお、従来の電気掃除機と同一構成要素については同一番号を付与して詳細説明を省略する。
【００２０】
図１および図５において、９は電気掃除機本体で吸引力を発生する電動送風機２と電動送風機２へ駆動電力を供給する双方向再サイリスタ３と、各制御回路に直流電力（電圧Ｖｏ）を供給する電源回路４と本体制御手段３４とを内蔵している。６１は電気掃除機本体９とホースユニット１００とを着脱自在な接続部１１の２本の電気配線手段に流れる電流値Ｉｏを検出する電流検出手段で、その両端に発生する電圧から信号変換手段３０で塵埃検知情報信号（Ｓ０とＳ１）を生成する。３５は塵埃検知情報信号（Ｓ０とＳ１）を基に電動送風機２の駆動タイミングと表示手段６０への表示情報を設定する制御手段でマイクロコンピュータ等で構成され、前記塵埃検知情報信号を高速演算処理できる。２３はホースユニット１００内の各制御回路へ動作用直流電力を供給する電源（三端子レギュレータ）で、高性能・高感度の塵埃検知センサ６２へ雑音レベルの低い高品位直流電力を供給してＳ／Ｎ比を向上させている。ホースユニット１００の空気流路には、発光素子（発光ダイオード）２４と受光素子（フォトトランジスタ）２５との光軸５０を対向配設（詳細図省略）され前記光軸間を塵埃が通過して光を遮ることでフォトトランジスタ２５の光電流Ｉｔが変化するのを２６の抵抗Ｒｔ両端電圧Ｖｔの変化（塵埃検知信号）として検出し、塵埃検知信号処理部３２にて塵埃の移動速度や大きさに応じて信号処理してＴ０とＴ１の２つの塵埃検知情報信号を出力する。３１は先の２つの塵埃検知情報信号Ｔ０とＴ１に対応して接続部１１に流れる電流値Ｉ０にＩＳ分変化させる電流変換手段である。
【００２１】
上記の構成要素の動作について更に詳しく説明する。
【００２２】
先ず塵埃検知センサ６２について図１と図２を参照しながら説明する。塵埃通過流路を挟んで発光素子２４と受光素子２５の光軸がそれぞれ対向するよう配置する。発光素子２４の発する光を受光素子２５が受けると光電流ＩＴが流れる。本実施例では、２６の抵抗ＲＴ両端電圧が所定の直流電圧ＶＴ（ＶＴは電源２３の出力電圧より小さく且つ０Ｖより大きい電圧）になるＩＴをバイアス電流として初期調整することで光軸５０内を通過する塵埃を光電流ＩＴの変化即ちＶＴの変化として検出するようにしている。ところで、光電流ＩＴ即ちＶＴは次のような要因で大きく値が変化する。即ち、（１）発光素子２４の供給電流ＩＦに対する発光エネルギバラツキ、（２）発光素子２４と受光素子２５表面に塵埃が直接付着するのを防止するためのレンズ（詳細記載省略）の光透過度バラツキ、（３）受光素子２５が受光する光エネルギを光電流ＩＴに変換する変換特性バラツキ、等である。
【００２３】
ＶＴは塵埃検知信号処理部３２への入力信号であり、その直流成分が大きく変わると塵埃検知性能も大きく変化する（詳細説明省略）ため所定の電圧になるように調整する必要がある。本実施例では、図２に示すセンサ特性補正回路３３によってＶＴと基準電圧発生回路で生成される基準電圧ＶＴＨとを比較して同じ値になるよう発光素子２４の駆動電流ＩＦを自動的に変化・調整するようにしている。この調整によって、電源２３の消費する電流ＩＤも、ホースユニット１００毎に大きく変わることになる。このようにして調整されたＶＴ電圧を得る光５０を通過塵埃が遮蔽すると、受光素子２５では光電流ＩＴの微小変化即ちＶＴの微小電圧変化となって検出する。通常の床面を電気掃除機で掃除をすると、本発明の塵埃検知センサが検知する空気流路内の塵埃の数は例えば１秒間に数百個〜数万個となり、ＶＴの信号周波数は数百Ｈｚ〜数十キロＨｚの成分を含むものになる。
【００２４】
次に塵埃検知信号処理部３２と電流変換手段３１について図１と図３を参照しながら説明する。塵埃検知信号処理部３２は塵埃検知センサ６２の出力ＶＴからＣ１０とＣ１１によって交流信号成分のみを信号処理回路１と２とで処理するようにしている。本実施の形態ではＶＴを所定の周波数に分けて信号処理（微小信号をデジタル信号レベルになるよう増幅してレベル変換処理する）するようにしている。これはＶＴ信号の周波数成分を分析した結果塵埃検知センサが比較的小さな塵埃（例えば数μ〜数百μ程度）を検知すると信号には比較的高い周波数成分（例えば十数キロＨｚ〜百キロＨｚ程度）が多くなり、また塵埃検知センサが比較的大きな塵埃（例えば数百μ〜数ミリ程度）を検知すると信号には比較的低い周波数成分（例えば数百Ｈｚ〜数キロＨｚ程度）が多くなることが分かったためにその特性を利用して塵埃の大きさ毎（本実施の形態では２種類に分別）に塵埃の数に応じたデジタル信号（パルス信号）を塵埃検知情報信号として出力しようとするものである。ところで、塵埃検知情報信号の周波数成分と塵埃の大きさとの関係についての研究結果については別途機会を改めて開示するものとし、本実施の形態の中での説明は省略する。このようにして塵埃検知信号処理部３２からは比較的大きな塵埃の数に応じたデジタル信号Ｔ０と比較的小さな塵埃の数に応じたデジタル信号Ｔ１とを出力する。Ｔ０は電流変換手段３１のトランジスタＴＲ１のベース駆動信号、Ｔ１は同じくトランジスタＴＲ２のベース駆動信号であり、ＴＲ１とＴＲ２のＯＮ／ＯＦＦによって電流ＩＳが変化することで接続部１１に流れる電流Ｉ０が変化する。Ｔ０、Ｔ１はパルス信号であるためＩＳもパルス的にその電流値が変化する。因みに、本実施の形態では塵埃検知センサが塵埃を検知していないときには塵埃検知信号処理部３２はＴＲ１がＯＦＦでＴＲ２がＯＮとなるよう塵埃検知情報信号（パルス信号）Ｔ０とＴ１を出力するよう論理を構成している。この「塵埃検知センサが塵埃を検知していないとき」の電流変換手段３１のＴＲ１とＴＲ２の論理は本発明の電流変換手段のもっとも特徴的な動作である。すなわち、電流値ＩＳは塵埃検知センサが塵埃を検知していないとき（無信号時）（＝ＩＳ０）と塵埃検知情報信号Ｔ
０を出力しているとき（＝ＩＳＴ０）と塵埃検知情報信号Ｔ１を出力しているとき（＝ＩＳＴ１）とを比較すると、ＩＳＴ０＞ＩＳ０＞ＩＳＴ１のような関係となるようにしている。
【００２５】
次に、上述したホースユニット１００内の電流変換手段３１によって電流パルス信号として接続部１１に送られてきた塵埃検知情報信号を電気掃除機本体９内の電流検知手段６１（抵抗ＲＬ）の両端電圧ＶＳから塵埃検知情報信号（デジタル信号）に逆変換する信号変換手段３０について図１と図４を参照しながら説明する。接続部１１に流れる電流Ｉ０はホースユニット１００内電流変換手段３１の塵埃検知情報信号電流成分ＩＳだけでなく塵埃検知センサ６２や電源２３等電子回路の消費する電流を含むものである。図４において基準電圧発生回路はＶＳを所定時間平均化して平均化基準電圧ＶＳＲを発生する。本実施例での所定時間の平均化は時定数約２００ｍｓのＲ（抵抗）Ｃ（キャパシタ）時定数回路で構成しており、塵埃検知センサが塵埃を検知していないとき即ち無信号時ではＶＳＲ＝ＶＳとなっている。比較回路１と２のマイナス側の比較電圧としＶＳＲが接続され、更に比較回路１のプラス側比較電圧ＶＳ１はＶＳに所定の直流電圧ＶＬＳ１を加え、また比較回路２のプラス側比較電圧ＶＳ２はＶＳに所定の直流電圧ＶＬＳ２を減じた電圧を印加している。このようにして信号変換手段３０は、比較回路１のＶＳＲとＶＳ１との電圧の大小関係と比較回路２のＶＳＲとＶＳ２との電圧の大小関係とから塵埃検知情報信号を逆変換してマイクロコンピュータ等で構成された制御手段３５へ出力する。
【００２６】
制御手段３５は信号変換手段３０からの塵埃検知情報信号Ｓ０とＳ１とに応じて電動送風機２を所定の位相制御量で運転するために、双方向サイリスタ３へ駆動タイミング信号を出力する。
【００２７】
以上のように構成された電気掃除機において、塵埃検知情報信号を含んだ電流信号Ｉ０がホースユニット１００より生成出力され、その後電流信号Ｉ０に重畳した塵埃検知情報信号を本体制御手段３４で如何にしてデジタル信号に再変換していくものかを図１と図６他を用いて説明する。商用電源７により電源回路４及び電源２３が本体制御手段３４や塵埃検知センサ６２へ電力を供給する。塵埃検知センサ６２の発光素子２４は所定電流値に対する光エネルギ放射強度のバラツキが有り、更に受光素子２５も所定光エネルギ受光時の光電流のバラツキがあるため、センサ特性補正回路３３は塵埃検知センサ６２が所定の動作特性を発揮できるよう発光素子２４の電流値ＩＦを変化させて受光素子２５が所定の動作電圧ＶＴ（＝ＶＴＨ）で安定するよう所謂フィードバック制御するよう構成している。
【００２８】
ところで発光素子２４と受光素子２５との光軸２５間は電気掃除機で吸引する塵埃が通過するため、一般的には前記発光素子２４と受光素子２５等の所謂センサ用電子部品を保護するためのレンズ様の保護部品が追加される。したがって、前記フィードバック制御での発光素子２５の電流値の設定はレンズの光透過度のバラツキを含めて成されることとなり、ホースユニット１００内の電子回路の消費する定常的な電流ＩＤ（即ちＩ０）は量産されるホースユニット１００個別毎にバラツキが発生するものである。まず上述したホースユニット１００への供給電流Ｉ０に塵埃検知情報信号としての電流信号ＩＳを重畳生成する動作につい説明する。本実施例では、塵埃検知センサ６２は発光素子２４（赤外発光ＬＥＤ）と受光素子２５（フォトトランジスタ）とで構成している。即ち赤外発光ＬＥＤとフォトトランジスタの光軸間を通過する塵埃が光を遮ることで変化するフォトトランジスタの光電流の変化を塵埃検知信号処理部３２のＣ１０とＣ１１とで検出して信号処理回路１と信号処理回路２とで増幅処理して例えばＴ０とＴ１なるパルス信号を生成する。図３ではこのパルス信号Ｔ０とＴ１はそれぞれ１つのパルス信号として記載したが、実際には電気掃除機の吸引する塵埃が光軸間を通過する毎に発生するパルス信号であり、数キロＨｚ〜数十キロＨｚ程度の高速なパルス信号群であることは理解できよう。本実施例では
、信号処理回路１で出力されるパルス信号Ｔ０は約１キロＨｚ〜約１０キロＨｚまでを出力し、信号処理回路２で出力されるパルス信号Ｔ１は約１０キロＨｚ〜約５０キロＨｚまでを出力するようにしている。ところで、この周波数は塵埃検知センサ６２が検知した塵埃に応じて出力される電気信号であるが、その詳細説明については省略する。次にパルス信号Ｔ０とＴ１は電流変換手段３１によってパルス電流信号ＩＳに変換される。即ちパルス信号Ｔ０によってＴＲ１がＯＮするとＩＳ０なる電流信号を、またパルス信号Ｔ１によってＴＲ２がＯＮするとＩＳ１なる電流信号を流すため、ＩＳはパルス信号Ｔ０とＴ１に応じたパルス電流ＩＳ０とＩＳ１とが複合したパルス電流信号として接続部１１の電流Ｉ０に重畳される。電流変換手段３１へのパルス信号Ｔ０は正パルスでパルス信号Ｔ１は負パルスとして与えるようにしており、そのパルス電流信号重畳の様子は図６（ａ）に示すようになる。塵埃検知センサ６２からの情報で塵埃検知信号処理部３２即ち電流変換手段３１へのパルス信号が無い定常状態ではＩ０＝ＩＤ＋ＩＳ１で、電流変換手段３１へのパルス信号としてＴ０が出力されている場合はＩ０＝ＩＤ＋ＩＳ０で、更に電流変換手段３１へのパルス信号としてＴ１が出力されている場合はＩ０＝ＩＤと変化することになる。
【００２９】
このようにして、塵埃検地情報信号を接続部１１に流れる電流Ｉ０にパルス電流としで重畳する。ところで、電流変換手段３１のＴＲ１とＴＲ２の構成を見ると、ＴＲ１がＯＮしているときにはＴＲ２がＯＮであれＯＦＦであれＩＳ＝ＩＳ０となることが分かるであろう。これは塵埃検知情報信号（パルス信号）Ｔ０とＴ１の内Ｔ１の情報が欠落してしまうことになる。一見致命的欠陥のように思えるかもしれないが、予めＴ０とＴ１にたいしてその信号成分の欠落条件を設定しておいて、例えば、（１）重要度の極めて低い信号で、その信号が欠落しても制御上特に問題にならない（２）信号欠落条件を決めておくことで、受信側で欠落信号を容易に復元可能にする等によって情報信号通信として問題が発生しないようにすることが可能にできよう。
【００３０】
本発明では信号を欠落させても物理的な信号通信時間を短縮してマイクロコンピュータ等の高速演算手段で欠落情報を復元等することで送信手段の回路構成をシンプルで低価格なものにできることを提案するものである。ただし、本実施の形態ではその要件詳細説明は省略する。
【００３１】
次に、前述したようにして生成された塵埃検地情報信号を含む電流信号Ｉ０から本体制御手段３４で如何にしてデジタル信号に再変換するかについて説明する。
【００３２】
電流Ｉ０は本体制御手段３４の電流検知手段６１で電圧信号ＶＳに変換される。ところでＩ０にはホースユニット１００内の電子回路などで消費する電流が含まれていることを前述したが、本発明の信号変換手段３０は、定常電流Ｉ０（＝ＩＤ＋ＩＳ１）からパルス電流ＩＳを判別分離して塵埃検知情報信号Ｓ０とＳ１に再変換する独自の工夫が成されている。信号変換手段３０では基準電圧発生回路によってＶＳＲなる基生成する。本実施例では、ＶＳＲはＶＳを約２００ｍｓの間平均化した電圧として生成するようにしている。これは、Ｉ０内のパルス電流（約１ｋＨｚ〜約５０ｋＨｚ）による電圧信号成分に影響されること無く、また更にはＩＤの個別バラツキに影響されること無く定常電流Ｉ０（＝ＩＤ＋ＩＳ１）＊ＲＬ＝ＶＳ＝ＶＳＲとして設定可能であることは容易に想像できよう（図６の（ｂ）参照）。
【００３３】
図４の信号変換手段３０では、ＶＳＲからＶＳ内のパルス電流信号成分を分離するために、比較回路（アナログコンパレータＩＣ）１と２のマイナス側基準電圧にＶＳＲを、ＶＳに所定電圧ＶＬＳ１を加えた電圧（ＶＳ１）を比較回路１のプラス側信号、ＶＳに所定電圧ＶＬＳ２を減じた電圧（ＶＳ２）を比較回路２のプラス側信号にそれぞれ接続して、そしてパルス信号Ｔ０とＴ１に応じた塵埃検知情報信号Ｓ０とＳ１を出力するようにしている（図６の（ｃ参照））。このようにして、使用者によって着脱自在に構成したホース
ユニット１００と電気掃除機本体９との間で、２本の電気配線だけで電力供給と高速通信が可能な電気掃除機が極めて容易に構成できるものである。
【００３４】
制御手段３５は、Ｓ０とＳ１のパルス信号情報を基に、双方向サイリスタ３への駆動タイミングイ信号を変更することで電動送風機２の消費電流（回転数）を変更制御する。
【００３５】
更に、制御手段３５では塵埃検知情報信号中の有用な情報については表示手段６０によって使用者にも知らしめることができるようにしており、本発明による電気掃除機が如何に使用者にとって使い勝手が良いものにできるかは容易に推測できるであろう。
【００３６】
尚本実施の形態では、ホースユニット１００内の塵埃検知信号処理部３２は演算回路だけで構成したが、マイクロコンピュータ等で複雑なデジタル信号コードに変換したものを電流変換手段３１で出力することも可能であり、ホースユニットと電気掃除機本体間での高速大容量情報通信が可能となることは言うまでもない。更に通信内容についても塵埃検知情報信号のみにとどまらず応用拡大可能であり、送信側では通信情報を高速パルス電流信号に変換して受信側では前記高速電流パルス信号からデジタル信号に変換する本発明によれば、複数のある程度小規模な回路ユニットを２本の電気配線で接続し、前記２本の電気配線だけでそれぞれのユニット間で高速通信可能なようにすることも容易に考えられるであろう。因みに接続部１１の電圧ＶＩをある程度高く（例えば４５Ｖ）することで接続部１１の接触信頼性が多少悪くても電流変換手段３１は基本的に信号を所定のパルス電流値として出力する（例えば定電流回路のインピーダンスは無限大であり接触抵抗の大きさは全く影響しない）ため理論的には全く影響が無く、より信頼性の高い通信方式に応用展開できることも容易に考えられるため、本発明の考え方を有用に応用展開されることを期待したい。
【産業上の利用可能性】
【００３７】
以上のように本発明にかかる電気掃除機は、電気信号を高速伝送・高速処理するために必要な通信方式を提供するものであり、家庭用電気掃除機に止まらず屋内配線が必要な電気掃除機（所謂セントラルクリーナ）等への展開、更には比較的消費電力の少ない回路ユニットとメイン制御ユニットとの間で電力線重畳通信方式としても応用展開可能である。
【図面の簡単な説明】
【００３８】
【図１】本発明の実施の形態１における電気掃除機の回路構成図
【図２】本発明の実施の形態１における塵埃検知手段の塵埃検知センサ部のセンサ特性補正回路構成図
【図３】本発明の実施の形態１における塵埃検知信号処理部と電流変換手段の回路構成図
【図４】本発明の実施の形態１における信号変換手段の回路構成図
【図５】本発明の実施の形態１における塵埃検知手段を備えた電気掃除機の概観図
【図６】本発明の実施の形態１における塵埃検知情報信号の電流（送信）・信号（受信）変換動作の概要を示す波形説明図
【図７】従来の塵埃検知手段を備えた電気掃除機の概観図
【図８】従来の電気掃除機の回路構成図
【符号の説明】
【００３９】
１  ホースユニット
２  電動送風機
３  双方向サイリスタ
４  電源回路
５  制御手段
６  電流制限抵抗
７  商用電源
８  手元操作部
９  電気掃除機本体
１１  接続部（２本の電気配線手段）
２１  ツェナーダイオード
２２  トランジスタ（塵埃検知情報信号出力用）
２３  電源（三端子レギュレータ）
２４  発光素子（発光ダイオード）
２５  受光素子（フォトトランジスタ）
２７  演算回路（増幅）
２８  比較回路
３０  信号変換手段
３１  電流変換手段
３２  塵埃検知信号処理部
３３  センサ特性補正回路
３４  本体制御手段
３５  制御手段（本発明）
６０  表示手段
６１  電流検知手段
６２  塵埃検知センサ
１００  ホースユニット
【図１】
0004674506.tif 000002
【図２】
0004674506.tif 000003
【図３】
0004674506.tif 000004
【図４】
0004674506.tif 000005
【図５】
0004674506.tif 000006
【図６】
0004674506.tif 000007
【図７】
0004674506.tif 000008
【図８】
0004674506.tif 000009